【事件の表示】
　特許第３１８００２２号「ソーラタイムスイッチ」の請求項１、２に係る特許に対する特許異議の申立てについて、次のとおり決定する。
【結　論】
　訂正を認める。
　特許第３１８００２２号の請求項１ないし２に係る特許を維持する。
【理　由】
１．手続の経緯
　特許第３１８００２２号「ソーラタイムスイッチ」の特許請求の範囲の請求項１及び請求項２に係る発明についての出願は、平成８年３月２９日に特許出願され、平成１３年４月１３日にその発明について特許権の設定登録がなされ、その後、その特許について、異議申立人　成田尚古　より特許異議の申立てがなされ、平成１４年３月２５日付けで取消しの理由が通知され、その所定の期間内である平成１４年６月４日に意見書と訂正請求書が提出され、さらに、特許異議申立人に対し平成１４年７月１７日付けで審尋がされ、平成１４年９月３０日付けで回答書が提出されたものである。
２．訂正の適否についての判断
　（１）訂正の内容
　　　ａ．訂正事項ア
　特許請求の範囲の記載
 「【請求項１】　現在の日時を計時する時計手段と、負荷を制御する設定時刻と負荷のオン・オフとを組にして負荷のオン・オフのタイムスケジュールを格納するタイムスケジュール記憶手段と、タイムスケジュール記憶手段に格納された設定時刻と時計手段により計時されている現在日時とを比較する比較手段と、比較手段により設定時刻と現在日時との一致が検出されるとタイムスケジュールに従って負荷を制御する負荷制御手段と、太陽の位置により日毎に決まる夕方の所定時刻と朝方の所定時刻とを年間を通じて発生するカレンダ手段と、タイムスケジュール記憶手段の設定時刻としてカレンダ手段より発生する上記所定時刻を基準にしたカレンダ時刻が設定可能な力レンダ時刻設定手段と、タイムスケジュールに従って負荷を制御する通常モードとタイムスケジュールを設定する設定モードとカレンダ手段で使用するデータの地区を選択する時計・地区モードとを少なくとも含む動作モードを選択する動作モード選択手段と、サマータイムの設定と解除とを選択するサマータイム選択手段と、サマータイム選択手段によりサマータイムの設定が指定されているときに通常モードと時計・地区モードとにおいて現在時刻をサマータイムである所定時間分だけ修正するサマータイム修正手段と、サマータイム修正手段により現在時刻が修正されると上記カレンダ時刻を上記所定時間分だけ修正するカレンダ時刻修正手段とを設けたことを特徴とするソーラタイムスイッチ。
　【請求項２】　常時は現在時刻を表示する現在時刻表示領域を備えた表示手段と、上記カレンダ時刻の表示手段への表示を指示する指示手段と、指示手段によりカレンダ時刻の表示を指示したときにサマータイム修正手段により現在時刻がサマータイムに修正されているときにはカレンダ時刻修正手段による修正後のカレンダ時刻を現在時刻表示領域に表示させ現在時刻がサマータイムではないときにはカレンダ設定手段により設定されたカレンダ時刻を現在時刻表示領域に表示させるサマータイム判別手段とを備えることを特徴とする請求項１記載のソーラタイムスイツチ。」を、
「【請求項１】　現在の日時を計時する時計手段と、カレンダ時刻設定手段により設定されたカレンダ時刻と定時刻記憶手段に格納されている定時刻とを用いてタイムスケジュールを作成するタイムスケジュール生成手段と、タイムスケジュール生成手段により作成した、負荷を制御する設定時刻と負荷のオン・オフとを組にして負荷のオン・オフのタイムスケジュールを格納するタイムスケジュール記憶手段と、タイムスケジュール記憶手段に格納された設定時刻と時計手段により計時されている現在日時とを比較する比較手段と、比較手段により設定時刻と現在日時との一致が検出されるとタイムスケジュールに従って負荷を制御する負荷制御手段と、太陽の位置により日毎に決まる夕方の所定時刻と朝方の所定時刻とを年間を通じて発生するカレンダ手段と、タイムスケジュール記憶手段の設定時刻としてカレンダ手段より発生する上記所定時刻を基準にしたカレンダ時刻が設定可能なカレンダ時刻設定手段と、タイムスケジュールに従って負荷を制御する通常モードとタイムスケジュールを設定する設定モードとカレンダ手段で使用するデータの地区を選択する時計・地区モードとを少なくとも含む動作モードを選択する動作モード選択手段と、サマータイムの設定と解除とを選択するサマータイム選択手段と．サマータイム選択手段によりサマータイムの設定が指定されているときに通常モードと時計・地区モードとにおいて現在時刻をサマータイムである所定時間分だけ修正するサマータイム修正手段と、サマータイム修正手段により現在時刻が修正されると上記カレンダ時刻を上記所定時間分だけ修正するカレンダ時刻修正手段とを設けたことを特徴とするソーラタイムスイッチ。
　【請求項２】　常時は現在時刻を表示する現在時刻表示領域を備えた表示手段と、上記カレンダ時刻の表示手段への表示を指示する指示手段と、指示手段によりカレンダ時刻の表示を指示したときにサマータイム修正手段により現在時刻がサマータイムに修正されているときにはカレンダ時刻修正手段による修正後のカレンダ時刻を現在時刻表示領域に表示させ現在時刻がサマータイムではないときにはカレンダ設定手段により設定されたカレンダ時刻を現在時刻表示領域に表示させるサマータイム判別手段とを備えることを特徴とする請求項１記載のソーラタイムスイッチ。」と訂正する。
　　　ｂ．訂正事項イ
　明細書の発明の詳細な説明における段落０００６の記載
「現在の日時を計時する時計手段と、負荷を制御する設定時刻と負荷のオン・オフとを組にして負荷のオン・オフのタイムスケジュールを格納するタイムスケジュール記憶手段と、タイムスケジュール記憶手段に格納された設定時刻と時計手段により計時されている現在日時とを比較する比較手段と、比較手段により設定時刻と現在日時との一致が検出されるとタイムスケジュールに従って負荷を制御する負荷制御手段と、太陽の位置により日毎に決まる夕方の所定時刻と朝方の所定時刻とを年間を通じて発生するカレンダ手段と、タイムスケジュール記憶手段の設定時刻としてカレンダ手段より発生する上記所定時刻を基準にしたカレンダ時刻が設定可能なカレンダ時刻設定手段と、タイムスケジュールに従って負荷を制御する通常モードとタイムスケジュールを設定する設定モードとカレンダ手段で使用するデータの地区を選択する時計・地区モードとを少なくとも含む動作モードを選択する動作モード選択手段と、サマータイムの設定と解除とを選択するサマータイム選択手段と、サマータイム選択手段によりサマータイムの設定が指定されているときに通常モードと時計・地区モードとにおいて現在時刻をサマータイムである所定時間分だけ修正するサマータイム修正手段と、サマータイム修正手段により現在時刻が修正されると上記カレンダ時刻を上記所定時間分だけ修正するカレンダ時刻修正手段とを設けたことを特徴とする。」を
「現在の日時を計時する時計手段と、カレンダ時刻設定手段により設定されたカレンダ時刻と定時刻記憶手段に格納されている定時刻とを用いてタイムスケジュールを作成するタイムスケジュール生成手段と、タイムスケジュール生成手段により作成した、負荷を制御する設定時刻と負荷のオン・オフとを組にして負荷のオン・オフのタイムスケジュールを格納するタイムスケジュール記憶手段と、タイムスケジュール記憶手段に格納された設定時刻と時計手段により計時されている現在日時とを比較する比較手段と、比較手段により設定時刻と現在日時との一致が検出されるとタイムスケジュールに従って負荷を制御する負荷制御手段と、太陽の位置により日毎に決まる夕方の所定時刻と朝方の所定時刻とを年間を通じて発生するカレンダ手段と、タイムスケジュール記憶手段の設定時刻としてカレンダ手段より発生する上記所定時刻を基準にしたカレンダ時刻が設定可能なカレンダ時刻設定手段と、タイムスケジュールに従って負荷を制御する通常モードとタイムスケジュールを設定する設定モードとカレンダ手段で使用するデータの地区を選択する時計・地区モードとを少なくとも含む動作モードを選択する動作モード選択手段と、サマータイムの設定と解除とを選択するサマータイム選択手段と、サマータイム選択手段によりサマータイムの設定が指定されているときに通常モードと時計・地区モードとにおいて現在時刻をサマータイムである所定時間分だけ修正するサマータイム修正手段と、サマータイム修正手段により現在時刻が修正されると上記カレンダ時刻を上記所定時間分だけ修正するカレンダ時刻修正手段とを設けたことを特徴とする。」と訂正する。
　　　ｃ．訂正事項ウ
　明細書の発明の詳細な説明における段落００２７の記載
「請求項１の発明は、現在の日時を計時する時計手段と、負荷を制御する設定時刻と負荷のオン・オフとを組にして負荷のオン・オフのタイムスケジュールを格納するタイムスケジュール記憶手段と、タイムスケジュール記憶手段に格納された設定時刻と時計手段により計時されている現在日時とを比較する比較手段と、比較手段により設定時刻と現在日時との一致が検出されるとタイムスケジュールに従って負荷を制御する負荷制御手段と、太陽の位置により日毎に決まる夕方の所定時刻と朝方の所定時刻とを年間を通じて発生するカレンダ手段と、タイムスケジュール記憶手段の設定時刻としてカレンダ手段より発生する上記所定時刻を基準にしたカレンダ時刻が設定可能なカレンダ時刻設定手段と、タイムスケジュールに従って負荷を制御する通常モードとタイムスケジュールを設定する設定モードとカレンダ手段で使用するデータの地区を選択する時計・地区モードとを少なくとも含む動作モードを選択する動作モード選択手段と、サマータイムの設定と解除とを選択するサマータイム選択手段と、サマータイム選択手段によりサマータイムの設定が指定されているときに通常モードと時計・地区モードとにおいて現在時刻をサマータイムである所定時間分だけ修正するサマータイム修正手段と、サマータイム修正手段により現在時刻が修正されると上記カレンダ時刻を上記所定時間分だけ修正するカレンダ時刻修正手段とを設けたものであり、現在時刻をサマータイムに修正したときに、カレンダ時刻も合わせてカレンダ時刻修正手段により修正するから、ソーラタイムスイッチでありながらもサマータイムの設定が可能になるという利点を有する。」を
「請求項１の発明は、現在の日時を計時する時計手段と、カレンダ時刻設定手段により設定されたカレンダ時刻と定時刻記憶手段に格納されている定時刻とを用いてタイムスケジュールを作成するタイムスケジュール生成手段と、タイムスケジュール生成手段により作成した、負荷を制御する設定時刻と負荷のオン・オフとを組にして負荷のオン・オフのタイムスケジュールを格納するタイムスケジュール記憶手段と、タイムスケジュール記憶手段に格納された設定時刻と時計手段により計時されている現在日時とを比較する比較手段と、比較手段により設定時刻と現在日時との一致が検出されるとタイムスケジュールに従って負荷を制御する負荷制御手段と、太陽の位置により日毎に決まる夕方の所定時刻と朝方の所定時刻とを年間を通じて発生するカレンダ手段と、タイムスケジュール記憶手段の設定時刻としてカレンダ手段より発生する上記所定時刻を基準にしたカレンダ時刻が設定可能なカレンダ時刻設定手段と、タイムスケジュールに従って負荷を制御する通常モードとタイムスケジュールを設定する設定モードとカレンダ手段で使用するデータの地区を選択する時計・地区モードとを少なくとも含む動作モードを選択する動作モード選択手段と、サマータイムの設定と解除とを選択するサマータイム選択手段と、サマータイム選択手段によりサマータイムの設定が指定されているときに通常モードと時計・地区モードとにおいて現在時刻をサマータイムである所定時間分だけ修正するサマータイム修正手段と、サマータイム修正手段により現在時刻が修正されると上記カレンダ時刻を上記所定時間分だけ修正するカレンダ時刻修正手段とを設けたものであり、現在時刻をサマータイムに修正したときに、カレンダ時刻も合わせてカレンダ時刻修正手段により修正するから、ソーラタイムスイッチでありながらもサマータイムの設定が可能になるという利点を有する。」と訂正する。
　（２）訂正の目的の適否、新規事項の有無及び拡張・変更の存否
　　訂正事項アについて；
　上記訂正は、願書に添付した明細書の発明の詳細な説明の段落００１３に記載されている事項に基づき請求項１及び請求項２のいずれにも構成要件「カレンダ時刻設定手段により設定されたカレンダ時刻と定時刻記憶手段に格納されている定時刻とを用いてタイムスケジュールを作成するタイムスケジュール生成手段と、タイムスケジュール生成手段により作成した、」を加えるものであるから、特許請求の範囲の減縮を目的とした明細書の訂正に該当し、願書に添付した明細書又は図面に記載された事項の範囲内のものであり、また、実質上特許請求の範囲を拡張・変更するものではない。
　　訂正事項イ及びウについて；
　上記訂正は、いずれも上記訂正事項アとの整合を図るものであるから、明りょうでない記載の釈明を目的とした明細書の訂正に該当し、願書に添付した明細書又は図面に記載された事項の範囲内のものであり、また、実質上特許請求の範囲を拡張・変更するものではない。
　（３）むすび
　したがって、上記各訂正は、特許法第１２０条の４第２項及び同条第３項において準用する特許法第１２６条第２項から第４項までの規定に適合するので、当該訂正を認める。
３．特許異議の申立てについての判断
　（１）申立ての理由の概要
　特許異議申立人　成田尚古　は、請求項１及び請求項２に係る発明は下記の甲第１ないし４号証に記載された発明に基づいて当業者が容易に発明をすることができたものであるから、特許法第２９条第２項の規定により特許を受けることができない発明であって、それらの特許は取り消されるべきものである旨主張している。
　　　　　　　　　　　　　　　　　　　記
刊行物１：米国特許第５１６０８５３号明細書（クラス３０７）（甲第１
　　　　　号証）
刊行物２：実公平３−２３５９５号公報（甲第２号証）
刊行物３：特開平４−２５７６５３号公報（甲第３号証）
刊行物４：特開平５−５２９７４号公報（甲第４号証）
　（２）本件の請求項１及び請求項２に係る発明
　上記２．で示した上記訂正が認められるから、本件の請求項１及び請求項２に係る発明は、上記訂正請求に係る訂正明細書の特許請求の範囲の請求項１及び請求項２に記載された事項により特定されるとおりのものである。
　（３）刊行物等
　上記刊行物１には、図１ないし図５とともに、それを日本語にすると、次のことが記載されている。
「このマイクロプロセッサーはマイクロプロセッサーに記憶されているプログラミング情報に従ってスイッチ・オン・オフを行えスイツチ制御回路に対してタイマー制御出力信号を提供する。」（明細書第３欄第３９〜４２行）
「図１Ａの表示装置１０に対応する液晶表示装置４２はマイクロプロセッサー４０に対する出力に接続される。
　マイクロプロセッサー４０は又、スイッチ制御回路４４にタイマー制御信号を提供する出力を備えている。この時間制御信号によりスイッチ制御回路４４はスイッチ４６を開閉して選択的に受光又は他の負荷に対して電力を提供する。
　タイマー制御回路２０は図１Ａ のプログラマブル入力装置６に対応するキー・マトリックス５０に応答する。キー・マトリックス５０には本発明による多数のプログラミング・キーが含まれている。キー・マトリックス５０にはロック／セット・キー５１、機能キー５２、時間トラッカー・キー５３、分／日キー５４、夏時間／標準時間キー５５、時間／月キー５６、プログラミング／ゾーン／キー５７及びリセット／キー５８が含まれる。各キーはそのキーの押され具合に応じて２つのプログラミング・モードを提供する。
　ロック／セット・キー５１はキー・マトリックス内の他のプログラミング・キーを可能にしたり不能にしたりする。
　タイマーを各種プログラミング・モードを通じてシーケンシャルに移動させるため機能
キー５２が使用される。　　　　　　　　　　　　　　　　　　　　　　　１
　時間トラッカー・キー５３は日没時間トラッキング機能のプログラミングを可能にする。
　分／日キー５４は分と日をプログラムする目的に使用される。
　夏時間／標準時間キー５５は夏時間条件をプログラムする目的に使用され、又、夏時間又は標準時間に対応すべく現在の時間に対して１時間進めたり又は１時間遅らせたりする。
　時間と月をプログラミングするため時間／月キー５６が使用される。
　プログラミング・キー５７ はライトが日中にオン及びオフされるその時間をプログラムする目的で使用される。１実施態様において、このプログラミング・キーは８個迄のオン／オフ接点（４個のオンと４個のオフ）迄提供するよう作動可能である。
　リセット・キー５８は従前にメモリー内に記憶されているプログラムをクリアする目的に使用される。
　ここで本発明によるキー・マトリックス５０とマイクロプロセッサー４０の作動について図３及び図４に表された論理流れ図を参照して説明する。
　ここでマイクロプロセッサーとキー・マトリックス内のプログラミング・キーの間の双方向作動を制御するプログラミング論理の論理流れ図である図３を参照する。
　プログラマブル装置の作動を開始するには、マイクロプロセッサーはリセット・キーを押すことでリセットする。このリセット作用により以後一層詳細に説明される如く、プログラミング機能で使用される特定のパラメーターが初期化される。
　最初に、マイクロプロセッサーは多数のプログラムをセットしたり、その中身をクリアしたりする。マイクロプロセッサーは又、タイマー制御出力信号をオフに初期化する。マイクロプロセッサーは又新しい暦日に対してプログラム制御を開始させる。一般に、この初期段階は処理のための関連あるパラメーター全てをリセットする。
　全てのパラメーターが初期化された後、プログラム論理はマイクロプロセッサー内のメモリーに記憶されている情報を表示させる。
　本発明は２つの基本的モード即ち、プログラミング・モード（「セット」）又は非プログラミング・モード（「ロック」）のいずれかで動作する。本装置は初期化後直ちにはプログラミングされていないので、ロックモード、即ち時刻表示が最初に表示される。次に表示装置は時間読み取りと夏時間／標準時間インデイケーターを示す。夏時間は「ＤＳＴ」として示されている。標準時間は「ＳＴＤ」として示してある。ロック・モードにおいては、全体の表示装置はクロツクが時間読み取りを変える場合を除いて非動である。時と分はコロン（：）で分離されている。ロック・モードにおいては、リセットとロック／セット・ボタンのみが機能する。タイマーはタイマーをセット・モードにするロック・セット・キーが押される迄ロック・モードにとどまる。
　マイクロプロセッサーは時刻とセット・モードをセット・モードに設定された際表示する。表示装置は時間読み取りが始まる場合を除きロック・モードの場合と同じ情報を示す。このモードにおいては夏時間と標準時間設定が改変可能である。クロック設定は夏時間と標準時間に対しての変更に応答するよう現在の時間を１時間進めるか又は１時間遅らせることによりその任意の変更に応答する。
　現時点でタイマーは以下のパターン、即ち、セット、ゾーン、季節、クロック、プログラム、セットにてセット・モードから各種プログラミング・モードを介して循環可能である。プログラミング・モードは機能キーを連続的に押すことで進められる。各モードは表示を特徴としている。各モード中に、プログラミング条件をセット出来る。
　従って、セット・モード後にマイクロプロセッサーは現在のゾーンを表示させることになる。この表示は時間トラッキングが可能化される際実行される時間トラッキングの速度を示す現在のゾーンの設定を示すことになる。この作動モードを示すため Ｕ．Ｓ．地図記号が表示に現れる。
　次に、マイクロプロセッサーは季節表示を表示する。この表示は現在時間（夏時間又は標準時）と併せて簡略化されたカレンダーとして現れる。
　次に、マイクロプロセッサーはクロック表示を表示させる。クロック表示はタイマーがセット・クロック・モードにあることを示すため現在の時間読み取りとクロック記号を示す。
　次に、マイクロプロセッサーはプログラム・モード記号を表示させる。表示はＰ記号、プログラム番号及びそのプログラム番号に対応するスイッチング・オン・オフ設定として現れる。Ｐ記号はタイマーがプログラム・モードにあることを示し、時間トラッキングに対してプログラム可能であることを示す。時間トラッキング記号は又、プログラムが日没時間のトラッキングのため可能化される場合は現れる。プログラミング設定はプログラム・ボタンを押すことにより１回に１度見直すことが出来る。
　前掲の各モードはそれぞれ表示される時間中にセット可能である。これはロック・セット・ボタンをセット・モードにセットし（即ち、ロック／セット・キーを押すことにより）又前掲のモードを通じてタイマーを循環させるべく機能キー・ボタンを押すことで達成される。機能キー／ボタンは以下の順番、即ち、セット、ゾーンのセット、季節のセット、クロックのセット、プログラムのセットに応じて次の作動モードにタイマーを移動させることになる。
　ゾーンは以下の如くセット可能である。地理的ゾーン番号はプログラム・ボタンを押すことに依り進めることが出来る。ゾーン番号が既に最大値であれば、それを更に進めることでゾーン番号は最低値に戻ることになる。そのゾーンは時間トラッキングが行われる速度を示す。
　季節は時／月及び分／日ボタンをそれぞれ押すことによりセット可能である。対応するボタンを短時間以上にわたり連続的に押し続けることで早い進行機構が励起される。夏時間／標準時間設定は夏時間／標準時間ボタンを押すことにより変えることが出来る。内部クロックは現在の時間に対して１時間進めるか又は１時間遅らせることにより夏時間／標準時間変更に応答する。
　クロックは以下の如く設定可能である。それぞれ時／月、分／日ボタンを押すことにより内部時間設定と分設定を独立的に進めることが出来る。
　プログラムは以下の如く設定可能である。表示されるプログラムに対する時・分の設定は時／月と分／日をそれぞれ押すことにより独立的に進めることが出来る。各プログラムに対する時間トラッキング機能は時間トラッキング・ボタンを押すことにより可能化又は不能化される。時間トラッキング機能がプログラムに対して可能化される場合、現在のカレンダー日は時間トラッキング目的上、記憶される。プログラム・ボタンを押すことでプログラム・メモリー番号が進められる。設定を何ら変更せずにプログラム・ボタンを押すことにより全てのプログラム設定を１回に１度見直すことが出来る。
　一旦情報が表示され、モードがセットされると、プログラム論理が中断し、１／１６ 秒のタイミング・ループで進む。１／１６秒のループの結果として内部クロックが更新される。
　次に、キー・マトリックス入力が走査されて、どのボタンが押されたかを決定する。次に、３位置入力回路が走査され、デコード化されて ３位置スイッチがどの位置にあるかを検出する。この走査は走査中におけるスイッチングから生じる不明瞭性を無くすよう１回以上行なわれる。
　次に、マイクロプロセッサーは全ての入力をデコード化する。キー・マトリックス・スイッチのいずれが押されたか並びにスライド・スイッチの位置を決定した時点で、マイクロプロセッサーは作動モード及び実施すべき要求される処理を決定する。
　次に、マイクロプロセッサーはモード変換が要求されるか否かを決定する。タイマーが以前ロック．モードであれば、ロック／セット・ボタンを押すことでタイマーはセット作動モードに移動し、他のボタンはその後で機能キーが押されない場合は無視されることになる。
　タイマーが以前ロック・モードになっていなかった場合（即ち、セット・モードになっていた場合）、ロック／セット・ボタンを押すとタイマーはロック作動モードへ移動する。
　セット・モードにある間に機能キー・ボタンを押すと、タイマーは以下の循環するシーケンス、即ちセット、ゾーンのセット、季節のセット、クロックのセット、プログラムのセット、そしてセットによって決定される如く、次の作動モードに移動することになる。
　所定時間ボタンが励起されなかった場合タイマーは自動的にロック作動モードへ移動する。
　次にプログラム論理がその作動モードを定める。注意する点はタイマーは以下の作動モード、即ち、ロック、セット、ゾーンのセット、季節のセット、クロックのセット及びプログラムのセットのいずれか１つのみになりえる点である。マイクロプロセッサー／マイクロコントローラーはタイマーがどのモードにあり対応する作動を行っているかをそのメモリーから決定する。
　プログラマブル・タイマーがゾーンのセット、季節のセット、クロックのセット又はプログラムのセットといった各モードにある場合、プログラミング上の変更がメモリーに対してなされ、マイクロプロセッサー論理は情報表示モードに戻る。セット・スイッチが再び押されない場合は、マイクロプロセッサー論理は自動的にロック・モードに戻り、時間のみを表示させる。ロック・モードにおいては、タイマーは究極的にはクロツクとして機能する。
　マイクロプロセッサーがロック・モード又はセット・モードにあることを決めれば、マイクロプロセッサーは図４に記載された如くタイマー制御論理を実行する。
　タイマー制御論理において最初にマイクロプロセッサーはロック・モード又はセット・モードへの遷移が丁度生じたか否かをチェックする。その答えがイエスであれば、プログラムは直ちにプログラムの時間比較を開始する。
　ロック又はセット・モードへの遷移が丁度生じなかった場合は、プログラム論理は僅かの遷移が生じたか否かを決定する。僅かの遷移が生じなかった場合はプログラム論理は時間制御プログラムから出てロック・モードに戻る。
　僅かの遷移が生じた場合はタイマー制御論理が次にプログラム時間比較を開始する。
　プログラム時間比較の開始時に、最後のプログラム・セットで開始するその記憶されたプログラム時間に対して現在のクロック・セットをマイクロプロセッサーがチェックするプログラム・セットの問合せが行われる。
　プログラム論理は現在のプログラムがスイッチ時間セットを入力したか否かを決定する。
　その答えがノーである場合は、プログラム論理はそれを「先行するプログラム」と比較することになる。この「先行するプログラム」はスイッチング出力を「一致した最後のプログラム」として最後に作成したプログラムを定める論理ルーチンを使用して比較される。次に、このプログラム論理はプログラム時間の比較が最後のプログラム一致後に全てのプログラムに対する時計に対してプログラム時間比較が行われたか否かをチェックし、それを決定する。こうしたプログラム時間比較が全て完了すれば、それ以上のプログラム制御は行われず、プログラミング論理はロック・モードに戻る。この場合、プロセスが完了していない場合はプログラミング論理は先行するプログラムへ移り、プログラム・セット段階を再び開始する。先行するプログラムが存在しない場合は、論理はロック・モードになる。
　現在のプログラムがスイッチ時間セットに入ると、プログラミング論理は次にその時間トラック・キーが現在のプログラム・セットに対して可能化されるか否かを決定する。可能化されれば、次に、そのプログラミング論理は有効なスイッチング時間を演算する。可能化不能の場合は、有効スイッチング期間ルーチンの演算はバイパスされる。
　有効なスイッチング時間はその有効な時間セットをその記憶されたプログラム・スイッチ時間に加えることで演算される。その有効時間オフセットは時間トラック機能が可能化されたその記憶されているカレンダー日付け、現在のカレンダー日付け及びこれら２つのカレンダー日付けの間にある各月と日に対する時間オフセットにて演算される。
　その記憶されたカレンダー日付けから始まって翌月の最初の日における有効なスイッチング時間がその月の残りの部分に対する時間オフセットを追加することで演算される。この時間オフセットはその月の毎日のオフセット時間とその月の残されている日数の積である。各月のオフセット時間は現在のカレンダーの月に到達する迄有効スイッチング時間に加えられる。
　最終的に有効なスイッチング時間は現在のカレンダーの月に対して時間オフセットを追加することにより得られる。この時間オフセットはその月の毎日のオフセット時間とその月の最初の日後の日数の積である。
　有効スイッチング時間の演算後にこの有効スイッチング時間はつぎに現在の時計に対して一致される。現在の有効スイッチング時間が現在の時計と一致すれば、タイマー制御出力信号が提供される。２つの時間が一致しない場合はプログラム論理は先行するプログラムを比較する段階に戻る。
　この有効スイッチング時間が現在の時計と一致すれば、プログラム論理はその一致したプログラムに対するプログラム番号を記憶する。このプログラム番号は一致した最後のプログラムとして記憶される。この情報はその日の先行するスイッチング時間との他のプログラム時間比較を消去する目的に使用される。プログラム・メモリーは新鮮な新しい日の開始時にクリアされる。
　次に、プログラム論理は出力状態を決定する。そのプログラム番号が奇数であれば、その提供されるスイッチング出力信号は「オン」となる。奇数以外の場合は、この信号は「オフ」となる。出力制御信号がオンであれば、タイマー制御出力信号はスイッチ制御回路 ４４でスイッチ４６を閉じさせ、かくしてターゲットのライトに電力を提供する。
　出力制御信号がオフであれば、スイッチ制御回路４４に対しては何らスイッチ制御信号が提供されず、この回路が非励起状態とされる。その結果スイッチ４６は開いた状態に設定され、かくしてターゲットのライトには何ら電力が供給されないことになる。
　ここで図５を参照すると、図５は緯度（ゾーン）、月（カレンダー）、夏時間／標準、時計、プログラム及びタイム・トラッカー・モードの各モードを表すべく本発明の１実施態様に依って表示された記号を表している。これらの記号は描画的なものであり、プログラミング機能を示唆するような構成に出来る。」（明細書第４欄第６６行〜同第９欄第２２行）
「前記プログラミング情報を記憶し、前記記憶されたプログラミング情報に応答して有効スイッチング時間を演算し、前記有効スイッチング時間を現在の時間と比較してタイミング制御信号を発生するマイクロプロセッサー」（明細書第９欄第５４行〜同１０欄第２行）
　上記刊行物２には、第１ないし５図とともに次のことが記載されている。
「ロータリスイッチ１は、初期設定、設定変更或いは各種設定内容及び制御内容の確認を行う時に操作されるもの、第１〜第３押ボタンスイッチ２ａ〜２ｃから成る押ボタンスイッチ２は設定入力時に操作されるもので、両スイッチ１，２は設定入力手段３（第１図）を構成する。制御パターン表示器４は、三つの表示灯４ａ〜４ｃを有し、第３図に示されるように、当日の制御パターンを表示するもので、すべての表示灯４ａ〜４ｃが点灯する場合は日没から日出までがオンになる第１制御パターンを、表示灯４ａ及び４ｃが点灯する場合は日没から夜間定時までと早朝定時から日出までとがオンになる第２制御パターンを、表示灯４ａのみが点灯する場合は日没から夜間定時までがオンになる第３制御パターンを、表示灯４ｃのみが点灯する場合は早朝定時から日出までがオンになる第４制御パターンを、それぞれ表示する。
　７セグメント表示器などが用いられるカレンダ・時計表示器５は、現在の月日、現時刻或いはロータリスイツチ１の各位置の各種設定内容及び制御内容を表示し、ロータリスイツチ１の位置が運転になっていれば現時刻を表示する。各曜日に対応する７個の発光ダイオードなどから成る曜日表示灯６は、当日の曜日或いは設定曜日を表示する。各曜日に対応する７個の切換スイッチから成る曜日スイッチ７は、その曜日の日没時刻から翌日の日出時刻までをオフにしておきたい場合（手動で負荷をオンにすることはできる）「切」に切り換えられるもの、週間制御選択スイッチ８は、曜日スイッチ７の「切」による終夜オフを第１の出力回路だけに適応させるのか、第２の出力回路だけに適応させるのか、両方の出力回路に適応させるのかを選択するもの、負荷制御用スイッチ９は、第１負荷制御用スイッチ９ａ及び第２負荷制御用スイッチ９ｂから成り、手動操作により第１と第２の出力回路に接続された負荷をそれぞれ強制的にオン、オフするものである。第１出力状態表示灯１０ａ及び第２出力状態表示灯１０ｂから成る出力状態表示灯１０は、第１と第２の出力回路の状態をそれぞれ表示するものである。
　第１図は本考案の一実施例の内部機構を含めた構成を示すブロック図である。
　カレンダ・時計計時手段１１は、現在の年月、曜日及び現時刻を計時するもの、第１メモリ手段１２は、設定入力手段３から入力する地区データ以外の設定データ、曜日スイッチ７による指定曜日、週間制御選択スイッチ８により選択された出力回路の番号、負荷制御用スイッチ９の 「入」「切」などを記憶するもの、第２メモリ手段１３は、設定された地区データ、年間を通じての基準地区（例えば関東地区）の日没時刻及び日出時刻、各地区と基準地区との日没時刻、日出時刻の時間差を記憶するもの、演算手段１４は、マイクロプロセッサなどから成り、必要な演算を行うもの、出力手段１５は、第１と第２の出力回路をオン或いはオフにするものである。なお、地区とは日本全国を北から南まで例えば１０地区に分割したものを指す。」（公報第３欄第４４行〜同第５欄第１３行）
「 ロータリスイツチ１の位置を日没に合わせると、その地区のその日の日没時刻がカレンダ・時計表示器５に表示される。これにより、その日の日没時刻を確認することができる。日没＋／一設定は、日没より早く暗くなるビルの谷間や山あいで使用する場合、日没時刻より早く負荷をオンにする時、或いは逆に日没時刻より遅く負荷をオンにする時に設定するもので、±９０分調整することができる。調整時間は押ボタンスイッチ２ａ〜２ｃにより設定する。夜間定時時刻設定は、第１の出力回路と第２の出力回路で別々に第１及び第２押ボタンスイッチ２ａ，２ｂにより行う。早朝定時時刻設定も、夜間定時時刻設定と同様である。その日の日出時刻確認及び日出十／一設定は、日没時刻確認及び日没＋／−設定と同様である。
　ロータリスイツチ１の位置を表示に合わせると、演算手段１４が第１メモリ手段１２に記憶されている夜間定時時刻及び早朝定時時刻の有無を読み出し、それに応じて前記第１〜４の制御パターンのどれに該当するかを判断して、第１と第２の出力回路毎の制御パターンを制御パターン表示器４に表示させる。」（公報第５欄第３６行〜同第６欄第１３行）
「初期電源投入時、設定内容が変更された時、或いは毎日の零時に、演算手段１４は、第２メモリ手段１３からその日の基準地区の日没時刻及び日出時刻及びその地区の時間差を読み出し、その地区のその日の日没時刻及び日出時刻を演算する。そして、調整時間が設定されていれば、その調整時間を加減算することにより、調整後の日没時刻及び日出時刻を算出し、演算手段１４が内蔵するバッファメモリ（不図示）にその日の間記憶する。
　通常の制御動作においては、演算手段１４は第４図のフローを例えば１分毎に繰り返し行う。」（公報第６欄第１８〜２９行）
　上記刊行物３には、第１ないし３図とともに次のことが記載されている。
「【００２８】サマータイム設定スイッチＳＷは、判断制御手段１３に接続する記憶器１３ａに接続してもよい（図３）。ここで、記憶器１３ａは、判断制御手段１３が昼間時間帯と夜間時間帯とを判別する際に参照する切換時刻ｔａ１、ｔｂ１を記憶しているものとする。
【００２９】サマータイムを設定するときは、まず、時刻合せスイッチＳＷ１、ＳＷ２ により、時計ｌｌをサマータイム時間ｔｓだけ進める。次いで、サマータイム設定スイツテＳＷを投入すると、記憶器１３ａは、記憶している切換時刻ｔａ１、ｔｂ１を、ｔａ１＝ｔａ１＋ｔｓ、ｔｂ１＝ｔｂ１＋ｔｓと書き替える。すなわち、判断制御手段１３は、その後、サマータイム時刻となつた時計１１からの時刻情報ｔを使用し、書替え更新された切換時刻ｔａ１、ｔｂ１を使用して昼間時間帯、夜間時間帯の判別を行なうから、この場合も、現実の切換時期は、サマータイム設定の前後に拘らず、一定に保持することができる。
【００３０】サマータイムの設定を解除するときは、時計１１をサマータイム時間ｔｓだけ遅らせるとともに、サマータイム設定スイッチＳＷを復帰する。このとき、記憶器１３ａは、切換時刻ｔａ１、ｔｂ１を、ｔａ１＝ｔａ１−ｔｓ、ｔｂ１＝ｔｂ１−ｔｓと書き替え、元の状態に復帰する。」（公報第４頁左欄第４５行〜同右欄第１６行）
　上記刊行物４には、第１、９及び１１図とともにつぎのことが記載されている。
「【００６４】＜第３実施例＞サマータイム期間の時刻の進み／遅れを自動設定する場合、サマータイム期間中は、その旨、すなわち、時刻の進み／遅れを自動設定されたサマータイム期間中であることを表示する例を示す。以下でも、図１と同じハードウェア構成を用いるものとする。
【００６５】図９は表示装置１１における表示例で、符２１は、通常期間の表示例、また符号２２はサマータイム期間中の表示例で、サマータイム期間中は、図示のように、文字によりその旨がユーザに報知される。」（公報第５頁右欄第４１〜５０行）
「【００７０】ステップＳ１４７、Ｓ１４８は、後述の図１１における表示制御と重複しているが、ここでは、時計カレンダーチップ６から読み出した現在日付と、設定された変数Ａ、Ｂとの比較によりサマータイム期間においては図９の符号２２の表示を、またサマータイム期間以外では符号２１の表示を行なう。」（公報第６頁左欄第１６〜２１行）
　（４）対比・判断
　本件の請求項１及び請求項２に係る発明と上記刊行物１ないし４に記載の発明とを対比すると、これら刊行物に記載の発明はその何れにも、本件の請求項１及び請求項２に係る発明を特定する事項である「タイムスケジュール生成手段により作成した、負荷を制御する設定時刻と負荷のオン・オフとを組にして負荷のオン・オフのタイムスケジュールを格納するタイムスケジュール記憶手段」という構成を備えておらず、当該構成と本件発明の他の構成とが相まって本件発明の特有の効果を奏するものであり、本件発明が上記刊行物１ないし４に記載のものから容易に発明をすることができたものとはいえない。
　なお、特許異議申立人は、平成１４年９月３０日付けの回答書において、本件発明の構成要件である「タイムスケジュール生成手段により作成した、負荷を制御する設定時刻と負荷のオン・オフとを組にして負荷のオン・オフのタイムスケジュールを格納するタイムスケジュール記憶手段」の構成は、上記刊行物１及び刊行物２に記載されている旨主張しているので、この主張を検討する。
　〈刊行物１（甲第１号証）について〉
　特許異議申立人は、マイクロプロセッサー４０が本件発明のタイムスケジュール記憶手段に相当すると主張するのみで、「負荷を制御する設定時刻と負荷のオン・オフとを組にして負荷のオン・オフのタイムスケジュール」をタイムスケジュール記憶手段が記憶していることは明言していない。そこで、刊行物１の記載を参酌するに、そのいずれの記載によっても、マイクロプロセッサー４０が「負荷を制御する設定時刻と負荷のオン・オフとを組にして負荷のオン・オフのタイムスケジュール」を記憶しているという記載を見出すことはできない。
　〈刊行物２（甲第２号証）について〉
　特許異議申立人は、内蔵するバッファメモリを含めた演算手段１４及び第１メモリ手段１２が本件発明のタイムスケジュール記憶手段に相当すると主張するのみで、「負荷を制御する設定時刻と負荷のオン・オフとを組にして負荷のオン・オフのタイムスケジュール」をタイムスケジュール記憶手段が記憶していることは明言していない。そこで、刊行物２に記載されている第４図のフローチャートを参酌すると、現時刻が設定時刻（夜間定時刻、日没時刻等）を経過しているかどうかでフラグＦを１又は０とし、その内容に応じて負荷の制御を行っており、このことは、設定時刻と負荷のオン・オフとを組にした情報を演算手段１４及び第１メモリ手段１２が予め有していないことを示していることは明らかである。
　したがって、特許異議申立人の当該主張は採用できない。
　（５）むすび
　以上のとおりであるから、特許異議申立ての理由及び証拠によっては、本件の請求項１及び請求項２に係る特許を取り消すことができない。
　また、他に本件の請求項１及び請求項２に係る特許を取り消すべき理由を発見しない。
　よって、結論のとおり決定する。
【異議決定日】
平成１４年１２月１６日（２００２．１２．１６）
【訂正の要旨】
訂正の要旨
　ａ．訂正事項ア
　特許請求の範囲の記載
　「【請求項１】　現在の日時を計時する時計手段と、負荷を制御する設定時刻と負荷のオン・オフとを組にして負荷のオン・オフのタイムスケジュールを格納するタイムスケジュール記憶手段と、タイムスケジュール記憶手段に格納された設定時刻と時計手段により計時されている現在日時とを比較する比較手段と、比較手段により設定時刻と現在日時との一致が検出されるとタイムスケジュールに従って負荷を制御する負荷制御手段と、太陽の位置により日毎に決まる夕方の所定時刻と朝方の所定時刻とを年間を通じて発生するカレンダ手段と、タイムスケジュール記憶手段の設定時刻としてカレンダ手段より発生する上記所定時刻を基準にしたカレンダ時刻が設定可能なカレンダ時刻設定手段と、タイムスケジュールに従って負荷を制御する通常モードとタイムスケジュールを設定する設定モードとカレンダ手段で使用するデータの地区を選択する時計・地区モードとを少なくとも含む動作モードを選択する動作モード選択手段と、サマータイムの設定と解除とを選択するサマータイム選択手段と、サマータイム選択手段によりサマータイムの設定が指定されているときに通常モードと時計・地区モードとにおいて現在時刻をサマータイムである所定時間分だけ修正するサマータイム修正手段と、サマータイム修正手段により現在時刻が修正されると上記カレンダ時刻を上記所定時間分だけ修正するカレンダ時刻修正手段とを設けたことを特徴とするソーラタイムスイッチ。
　【請求項２】　常時は現在時刻を表示する現在時刻表示領域を備えた表示手段と、上記カレンダ時刻の表示手段への表示を指示する指示手段と、指示手段によりカレンダ時刻の表示を指示したときにサマータイム修正手段により現在時刻がサマータイムに修正されているときにはカレンダ時刻修正手段による修正後のカレンダ時刻を現在時刻表示領域に表示させ現在時刻がサマータイムではないときにはカレンダ設定手段により設定されたカレンダ時刻を現在時刻表示領域に表示させるサマータイム判別手段とを備えることを特徴とする請求項１記載のソーラタイムスイツチ。」を、
「【請求項１】　現在の日時を計時する時計手段と、カレンダ時刻設定手段により設定されたカレンダ時刻と定時刻記憶手段に格納されている定時刻とを用いてタイムスケジュールを作成するタイムスケジュール生成手段と、タイムスケジュール生成手段により作成した、負荷を制御する設定時刻と負荷のオン・オフとを組にして負荷のオン・オフのタイムスケジュールを格納するタイムスケジュール記憶手段と、タイムスケジュール記憶手段に格納された設定時刻と時計手段により計時されている現在日時とを比較する比較手段と、比較手段により設定時刻と現在日時との一致が検出されるとタイムスケジュールに従って負荷を制御する負荷制御手段と、太陽の位置により日毎に決まる夕方の所定時刻と朝方の所定時刻とを年間を通じて発生するカレンダ手段と、タイムスケジュール記憶手段の設定時刻としてカレンダ手段より発生する上記所定時刻を基準にしたカレンダ時刻が設定可能なカレンダ時刻設定手段と、タイムスケジュールに従って負荷を制御する通常モードとタイムスケジュールを設定する設定モードとカレンダ手段で使用するデータの地区を選択する時計・地区モードとを少なくとも含む動作モードを選択する動作モード選択手段と、サマータイムの設定と解除とを選択するサマータイム選択手段と．サマータイム選択手段によりサマータイムの設定が指定されているときに通常モードと時計・地区モードとにおいて現在時刻をサマータイムである所定時間分だけ修正するサマータイム修正手段と、サマータイム修正手段により現在時刻が修正されると上記カレンダ時刻を上記所定時間分だけ修正するカレンダ時刻修正手段とを設けたことを特徴とするソーラタイムスイッチ。
　【請求項２】　常時は現在時刻を表示する現在時刻表示領域を備えた表示手段と、上記カレンダ時刻の表示手段への表示を指示する指示手段と、指示手段によりカレンダ時刻の表示を指示したときにサマータイム修正手段により現在時刻がサマータイムに修正されているときにはカレンダ時刻修正手段による修正後のカレンダ時刻を現在時刻表示領域に表示させ現在時刻がサマータイムではないときにはカレンダ設定手段により設定されたカレンダ時刻を現在時刻表示領域に表示させるサマータイム判別手段とを備えることを特徴とする請求項１記載のソーラタイムスイッチ。」と訂正する。
　ｂ．訂正事項イ
　明細書の発明の詳細な説明における段落０００６の記載
「現在の日時を計時する時計手段と、負荷を制御する設定時刻と負荷のオン・オフとを組にして負荷のオン・オフのタイムスケジュールを格納するタイムスケジュール記憶手段と、タイムスケジュール記憶手段に格納された設定時刻と時計手段により計時されている現在日時とを比較する比較手段と、比較手段により設定時刻と現在日時との一致が検出されるとタイムスケジュールに従って負荷を制御する負荷制御手段と、太陽の位置により日毎に決まる夕方の所定時刻と朝方の所定時刻とを年間を通じて発生するカレンダ手段と、タイムスケジュール記憶手段の設定時刻としてカレンダ手段より発生する上記所定時刻を基準にしたカレンダ時刻が設定可能なカレンダ時刻設定手段と、タイムスケジュールに従って負荷を制御する通常モードとタイムスケジュールを設定する設定モードとカレンダ手段で使用するデータの地区を選択する時計・地区モードとを少なくとも含む動作モードを選択する動作モード選択手段と、サマータイムの設定と解除とを選択するサマータイム選択手段と、サマータイム選択手段によりサマータイムの設定が指定されているときに通常モードと時計・地区モードとにおいて現在時刻をサマータイムである所定時間分だけ修正するサマータイム修正手段と、サマータイム修正手段により現在時刻が修正されると上記カレンダ時刻を上記所定時間分だけ修正するカレンダ時刻修正手段とを設けたことを特徴とする。」を
「現在の日時を計時する時計手段と、カレンダ時刻設定手段により設定されたカレンダ時刻と定時刻記憶手段に格納されている定時刻とを用いてタイムスケジュールを作成するタイムスケジュール生成手段と、タイムスケジュール生成手段により作成した、負荷を制御する設定時刻と負荷のオン・オフとを組にして負荷のオン・オフのタイムスケジュールを格納するタイムスケジュール記憶手段と、タイムスケジュール記憶手段に格納された設定時刻と時計手段により計時されている現在日時とを比較する比較手段と、比較手段により設定時刻と現在日時との一致が検出されるとタイムスケジュールに従って負荷を制御する負荷制御手段と、太陽の位置により日毎に決まる夕方の所定時刻と朝方の所定時刻とを年間を通じて発生するカレンダ手段と、タイムスケジュール記憶手段の設定時刻としてカレンダ手段より発生する上記所定時刻を基準にしたカレンダ時刻が設定可能なカレンダ時刻設定手段と、タイムスケジュールに従って負荷を制御する通常モードとタイムスケジュールを設定する設定モードとカレンダ手段で使用するデータの地区を選択する時計・地区モードとを少なくとも含む動作モードを選択する動作モード選択手段と、サマータイムの設定と解除とを選択するサマータイム選択手段と、サマータイム選択手段によりサマータイムの設定が指定されているときに通常モードと時計・地区モードとにおいて現在時刻をサマータイムである所定時間分だけ修正するサマータイム修正手段と、サマータイム修正手段により現在時刻が修正されると上記カレンダ時刻を上記所定時間分だけ修正するカレンダ時刻修正手段とを設けたことを特徴とする。」と訂正する。
　ｃ．訂正事項ウ
　明細書の発明の詳細な説明における段落００２７の記載
「請求項１の発明は、現在の日時を計時する時計手段と、負荷を制御する設定時刻と負荷のオン・オフとを組にして負荷のオン・オフのタイムスケジュールを格納するタイムスケジュール記憶手段と、タイムスケジュール記憶手段に格納された設定時刻と時計手段により計時されている現在日時とを比較する比較手段と、比較手段により設定時刻と現在日時との一致が検出されるとタイムスケジュールに従って負荷を制御する負荷制御手段と、太陽の位置により日毎に決まる夕方の所定時刻と朝方の所定時刻とを年間を通じて発生するカレンダ手段と、タイムスケジュール記憶手段の設定時刻としてカレンダ手段より発生する上記所定時刻を基準にしたカレンダ時刻が設定可能なカレンダ時刻設定手段と、タイムスケジュールに従って負荷を制御する通常モードとタイムスケジュールを設定する設定モードとカレンダ手段で使用するデータの地区を選択する時計・地区モードとを少なくとも含む動作モードを選択する動作モード選択手段と、サマータイムの設定と解除とを選択するサマータイム選択手段と、サマータイム選択手段によりサマータイムの設定が指定されているときに通常モードと時計・地区モードとにおいて現在時刻をサマータイムである所定時間分だけ修正するサマータイム修正手段と、サマータイム修正手段により現在時刻が修正されると上記カレンダ時刻を上記所定時間分だけ修正するカレンダ時刻修正手段とを設けたものであり、現在時刻をサマータイムに修正したときに、カレンダ時刻も合わせてカレンダ時刻修正手段により修正するから、ソーラタイムスイッチでありながらもサマータイムの設定が可能になるという利点を有する。」を
「請求項１の発明は、現在の日時を計時する時計手段と、カレンダ時刻設定手段により設定されたカレンダ時刻と定時刻記憶手段に格納されている定時刻とを用いてタイムスケジュールを作成するタイムスケジュール生成手段と、タイムスケジュール生成手段により作成した、負荷を制御する設定時刻と負荷のオン・オフとを組にして負荷のオン・オフのタイムスケジュールを格納するタイムスケジュール記憶手段と、タイムスケジュール記憶手段に格納された設定時刻と時計手段により計時されている現在日時とを比較する比較手段と、比較手段により設定時刻と現在日時との一致が検出されるとタイムスケジュールに従って負荷を制御する負荷制御手段と、太陽の位置により日毎に決まる夕方の所定時刻と朝方の所定時刻とを年間を通じて発生するカレンダ手段と、タイムスケジュール記憶手段の設定時刻としてカレンダ手段より発生する上記所定時刻を基準にしたカレンダ時刻が設定可能なカレンダ時刻設定手段と、タイムスケジュールに従って負荷を制御する通常モードとタイムスケジュールを設定する設定モードとカレンダ手段で使用するデータの地区を選択する時計・地区モードとを少なくとも含む動作モードを選択する動作モード選択手段と、サマータイムの設定と解除とを選択するサマータイム選択手段と、サマータイム選択手段によりサマータイムの設定が指定されているときに通常モードと時計・地区モードとにおいて現在時刻をサマータイムである所定時間分だけ修正するサマータイム修正手段と、サマータイム修正手段により現在時刻が修正されると上記カレンダ時刻を上記所定時間分だけ修正するカレンダ時刻修正手段とを設けたものであり、現在時刻をサマータイムに修正したときに、カレンダ時刻も合わせてカレンダ時刻修正手段により修正するから、ソーラタイムスイッチでありながらもサマータイムの設定が可能になるという利点を有する。」と訂正
（５４）【発明の名称】
ソーラタイムスイッチ
（５７）【特許請求の範囲】
　【請求項１】　現在の日時を計時する時計手段と、
カレンダ時刻設定手段により設定されたカレンダ時刻と定時刻記憶手段に格納されている定時刻とを用いてタイムスケジュールを作成するタイムスケジュール生成手段と、タイムスケジュール生成手段により作成した、
　【請求項２】　常時は現在時刻を表示する現在時刻表示領域を備えた表示手段と、上記カレンダ時刻の表示手段への表示を指示する指示手段と、指示手段によりカレンダ時刻の表示を指示したときにサマータイム修正手段により現在時刻がサマータイムに修正されているときにはカレンダ時刻修正手段による修正後のカレンダ時刻を現在時刻表示領域に表示させ現在時刻がサマータイムではないときにはカレンダ設定手段により設定されたカレンダ時刻を現在時刻表示領域に表示させるサマータイム判別手段とを備えることを特徴とする請求項１記載のソーラタイムスイッチ。
【発明の詳細な説明】
　【０００１】
　【発明の属する技術分野】
　本発明は、あらかじめ設定した時刻に負荷をオンまたはオフに制御するタイムスイッチであって、年間の日出時刻・日入時刻を基準にして負荷のオン時刻やオフ時刻を決めることができるようにしたソーラタイムスイッチに関するものである。
　【０００２】
　【従来の技術】
　一般に、タイムスイッチは、特開昭６０ー７３４８７公報に示されているもののように、あらかじめ負荷をオンにする時刻やオフにする時刻を設定しておき、内蔵した時計手段により計時されている現在日時が設定された時刻に一致すると負荷をオンまたはオフに制御するものである。ソーラタイムスイッチは、基本のタイムスイッチの機能に加えて、年間の日出時刻・日入時刻（本発明では、日出時刻、日入時刻を広義の意味で用いており薄明が消える日暮れ時刻、薄明が現れる夜明け時刻の意味も含むものとする。要するに、太陽の位置によって決まる夕方の所定時刻と朝方の所定時刻とであればよい）を用いることができるようにデータを内蔵することによって、日出時刻・日入時刻を基準にして負荷のオン時刻やオフ時刻を決めることができるようにしたものである。この種のソーラタイムスイッチは、夜間照明などの制御に用いることができるものであり、日入時刻を基準にして適宜加減した時刻に照明を点灯させ、日出時刻を基準にして適宜加減した時刻に照明を点灯させるというような制御が可能になる。このような制御により、日毎に変化する日出時刻・日入時刻に応じて照明の点灯時刻・消灯時刻を自動的に調節することができるのである。この種のソーラタイムスイッチでは、使用地域（緯度・経度）に応じて日出時刻・日入時刻を補正することができるように構成されている。
　【０００３】
　一方、特開平４ー２９５７９３号公報に記載されているように、サマータイムを設定可能なタイムスイッチが提案されている。上記公報に記載されたタイムスイッチは、サマータイム期間をカードにより設定し、サマータイム期間およびサマータイム以外の期間を通じて、あらかじめ記憶されている定時刻に負荷を制御するように構成されている。
　【０００４】
　【発明が解決しようとする課題】
　上記公報に記載のタイムスイッチは、サマータイム開始日に現在時刻を所定の時間進め、サマータイム終了日に現在時刻を所定時間遅らせることにより元に戻すだけであり、記憶されている定時刻についてはとくに修正を施していない。これは、負荷制御のために設定されている時刻が定時刻であって、サマータイムであっても同じ時刻を用いて負荷を制御することができるからである。
　【０００５】
　一方、ソーラータイムスイッチでは上述のように太陽の位置に基づいて定めた日出時刻や日入時刻を用いるから、現在時刻を修正すると、サマータイムとして修正した所定時間分だけずれて負荷を動作させるという問題が生じる。本発明は上記事由に鑑みて為されたものであり、その主な目的は、サマータイムの設定を可能にしながらも太陽の位置に基づく時刻を用いることができるようにしたソーラタイムスイッチを提供することにある。
　【０００６】
　【課題を解決するための手段】
　請求項１の発明は、現在の日時を計時する時計手段と、
カレンダ時刻設定手段により設定されたカレンダ時刻と定時刻記憶手段に格納されている定時刻とを用いてタイムスケジュールを作成するタイムスケジュール生成手段と、タイムスケジュール生成手段により作成した、
　【０００７】
　この構成によれば、現在時刻をサマータイムに修正したときに、カレンダ時刻も合わせてカレンダ時刻修正手段により修正するから、ソーラタイムスイッチでありながらもサマータイムの設定が可能になるのである。請求項２の発明は、請求項１の発明において、常時は現在時刻を表示する現在時刻表示領域を備えた表示手段と、上記カレンダ時刻の表示手段への表示を指示する指示手段と、指示手段によりカレンダ時刻の表示を指示したときにサマータイム修正手段により現在時刻がサマータイムに修正されているときにはカレンダ時刻修正手段による修正後のカレンダ時刻を現在時刻表示領域に表示させ現在時刻がサマータイムではないときにはカレンダ設定手段により設定されたカレンダ時刻を現在時刻表示領域に表示させるサマータイム判別手段とを備えることを特徴とする。
　【０００８】
　この構成によれば、現在時刻表示領域にカレンダ時刻を表示可能にしていることによって、表示面積の限られた表示手段を用いながらも２種類の情報を表示することができ、またサマータイムを用いているときにはカレンダ時刻も修正した時刻を表示し、サマータイムを用いていないときにはカレンダ時刻を修正せずに表示するから、サマータイム期間か否かにかかわらず、年間を通じてそのときの時刻の基準に従ったカレンダ時刻を表示することができるのである。
　【０００９】
　【発明の実施の形態】
　以下、本発明の実施形態を図面に基づいて説明する。なお、以下では日出時刻・日入時刻という用語を天空上での太陽の位置に基づいて天文学的に定められる時刻として用いるが、照明負荷を制御する場合には、日出前に薄明が現れる夜明け時刻を日出時刻に代えて用い、日入後に薄明が消える日暮れ時刻を日入時刻に代えて用いるのが望ましい。つまり、周囲が明るければ照明負荷を点灯させる必要はないから薄明があるうちには照明負荷を点灯させる必要がなく、しかも薄明が現れる夜明け時刻と日出時刻との時間差や薄明が消える日暮れ時刻と日入時刻との時間差は季節によって変化するから、日出時刻や日入時刻を基準に用いるよりも夜明け時刻や日暮れ時刻を基準に用いるほうがよい。したがって、日出時刻・日入時刻を夜明け時刻・日暮れ時刻と読み替えることを妨げない。
　【００１０】
　図１に示す時計手段１は現在の日時を計時し、比較手段２ではタイムスケジュール記憶手段３にあらかじめ設定された時刻と時計手段１により計時されている現在時刻とを比較する。比較手段２により両時刻の一致が検出されると、タイムスケジュール記憶手段３に時刻とともに設定されている負荷６のオン・オフの情報に基づいて負荷制御手段５が負荷６をオンまたはオフに制御する。ここに負荷６は照明負荷を用いている。日出時刻・日入時刻はカレンダ手段４において現在月日に基づいて求められ、タイムスケジュール記憶手段３において日出時刻や日入時刻を用いて負荷６を制御するように設定されている場合には、カレンダ手段４で求めた日出時刻や日入時刻が用いられる。
　【００１１】
　カレンダ手段４は、緯度・経度によって複数地区に分け、各地区ごとに年間の日出時刻および日入時刻の組を各月の奇数日（１日、３日、……）についてのみ記憶するとともに、偶数日の日出時刻および日入時刻を、着目する偶数日（２日、４日、……）の前後の奇数日の日出時刻および日入時刻から求め、日毎の日出時刻および日入時刻を出力するものである。つまり、時計手段１により計時されている現在月日が奇数日であれば記憶しているデータを出力し、偶数日であれば補間したデータを出力するのである。負荷６の制御に際しては日入時刻・日出時刻を用いるほか、日入時刻・日出時刻に適宜時間を加減した時刻を用いることも可能であって、カレンダ時刻設定手段９においてこの処理が可能になっている。つまり、カレンダ時刻設定手段９では日入時刻・日出時刻に適宜の時間を加減算するのであり、加算も減算もしなければ日入時刻・日出時刻そのものを用いることになる。このようにして決定された時刻を以下ではカレンダ時刻という。
　【００１２】
　負荷６を制御する時刻としては定時刻を用いることもでき、定時刻を設定するために定時刻設定手段１０が設けられている。定時刻設定手段１０から入力した定時刻は定時刻記憶手段１１に格納される。タイムスケジュール記憶手段３には、負荷６を制御する時刻と、その時刻に負荷６をオンにするかオフにするかの情報が組にして登録され、各組が各日ごとに区分されて登録される。また、負荷６を制御する時刻には日出時刻や日入時刻を用いることができるようになっている。負荷６は照明負荷であるから、図２に示すような５種類の動作パターンで制御される（図２では斜線部分が照明負荷の点灯中を示す）。すなわち、図２（ａ）のように日入時刻に点灯させ日出時刻に消灯させるという動作パターンと、図２（ｂ）のように日入時刻に点灯させ日出前の定時刻に消灯させる動作パターンと、図２（ｃ）のように日入後の定時刻に点灯させ日出時刻に消灯させる動作パターンと、図２（ｄ）のように日入時刻に点灯させ夜間で人通りがなくなる定時刻には一旦消灯させ夜明け前の定時刻になると再び点灯させて日出時刻に消灯させるという動作パターンと、図２（ｅ）のように日入後の定時刻から点灯させ日出前の定時刻に消灯させる動作パターンとがある。つまり、１回分のタイムスケジュールは日入時刻から翌日の日出時刻までの間の負荷６の制御を決めたものとなる。本発明の１つの特徴はこれらの動作パターンがＲＯＭないしＥＥＰＲＯＭよりなる動作パターン記憶手段７にあらかじめ登録されている点であり、各負荷６をどの動作パターンで制御するかを動作パターン選択手段８によって選択するようになっている。
　【００１３】
　しかして、動作パターンによって負荷６をオンにするかオフにするかが決まるから、各動作パターンに応じてカレンダ時刻や定時刻を割り付ければ、負荷６を動作させるタイムスケジュールを決定することができる。つまり、タイムスケジュール生成手段１２では、動作パターン選択手段８により選択された動作パターンと、カレンダ時刻設定手段９により設定されたカレンダ時刻と、定時刻記憶手段１１に格納されている定時刻とを用いてタイムスケジュールを作成し、作成したタイムスケジュールをタイムスケジュール記憶手段３に格納するのである。
　【００１４】
　上述のようにして設定されるタイムスケジュールを確認するために表示手段１３が設けられ、表示手段１３は表示処理手段１４により制御される。表示手段１３における具体的な表示内容は後述する。ところで、本発明はソーラタイムスイッチにおいてサマータイムを設定できるようにした点に特徴があり、この機能を実現するために、時計手段１により計時されている現在時刻を所定時間（ここでは１時間）だけ修正することが可能なサマータイム修正手段１５を設けている。また、サマータイム修正手段１５により現在時刻がサマータイムに修正されたときにはカレンダ時刻も修正するように、カレンダ時刻修正手段１６を設けてある。つまり、タイムスケジュール生成手段１２では、サマータイム修正手段１５により現在時刻がサマータイムに修正されたときには、カレンダ時刻もカレンダ時刻修正手段１６で修正されたものを用いてタイムスケジュールを作成するのである。
　【００１５】
　さらに、本実施形態では、表示手段１３に図３に示すような現在時刻表示領域Ｄ１が設けられており、指示手段１７によってカレンダ時刻の表示を指示すれば、現在時刻表示領域Ｄ１にカレンダ時刻を表示することができるようになっている。このとき表示されるカレンダ時刻は、サマータイム期間であればカレンダ時刻修正手段１６によって修正されたカレンダ時刻が表示され、サマータイム期間以外では修正されていないカレンダ時刻が表示されるように、サマータイム判別手段１８により自動的に判別される。
　【００１６】
　上述したソーラタイムスイッチは、図４に示すように、マイクロコンピュータよりなる信号処理回路２０を中心として構成される。つまり、信号処理回路２０はＣＰＵ、ＲＯＭ、ＲＡＭ、各種ポートを備えるものであり、図１の一点鎖線で囲まれた部分を構成する。各機能を実現するためのプログラムはＲＯＭに格納されている。また、時計手段１は水晶振動子を備えたクロック発振回路２１より信号処理回路１０に与えられるクロック信号に基づいて計時を行なっている。負荷制御手段５は負荷６の電源供給路に挿入されるリレー２２および信号処理回路２０の出力に基づいてリレーを駆動するリレー駆動回路２３とからなる。また、動作パターン選択手段８、カレンダ時刻設定手段９、定時刻設定手段１０は複数個のスイッチＳ１〜Ｓ１２を組合わせて構成されている。スイッチＳ１〜Ｓ１２はマトリクス状に接続され、キーマトリクス部２４はスイッチ群Ｓ１〜Ｓ１２のどのスイッチが操作されたかを認識して信号処理回路２０にスイッチＳ１〜Ｓ１２の操作情報を与える。信号処理回路２０には表示手段１３として、各種情報に対応して定位置に配置された文字や図形を表示・非表示とすることで各種情報を示すセグメント形表示の液晶表示器２５、通電状態および負荷６の動作状態を示す複数個（ここでは３個）の発光ダイオード２６１〜２６３、発光ダイオード２６を駆動するためのＬＥＤ点灯回路２７とからなる。内部回路の電源は商用電源を降圧整流し定電圧化する電源回路２８により供給される。ＬＥＤ点灯回路２７では信号処理回路２０からの出力信号に応じて電源回路２８の出力電圧を用いて発光ダイオード２６１〜２６３を点灯・消灯させる。
　【００１７】
　また、電源回路２８の出力電圧をＬＥＤ点灯回路２７に通した後に、リレー電圧回路２９によりリレー駆動用の電圧を得るとともに、ＶＤＤ電圧回路３０により信号処理回路２０を駆動する電圧を得るようになっている。信号処理回路２０は商用電源の停電時でも時計手段１を動作させなければならないから、停電検出回路３１においてＶＤＤ電圧回路３０の出力電圧の低下を検出すると、停電補償用電池３２から信号処理回路２０に電源を供給するようにして停電中も時計手段１の計時が停止しないようにしてある。信号処理回路２０の電源投入時や何らかの異常が生じてスイッチＳ１（後述する）によりリセットが指示されたときには、リセット回路３３からのリセット信号により初期化される。
　【００１８】
　上述したソーラタイムスイッチは、図５のような外観を有する器体４０を備える。この器体４０は、合成樹脂のような絶縁材料により形成された分電盤協約寸法として規格化された寸法および形状を有するものであり、分電盤内にＤＩＮレール（断面がコ字状であってコ字状の各脚片に外向きに保持片が延長された形状のレールであって、分電盤内に配置される取付レール）を用いて取り付けたり、分電盤内にねじを用いて取り付けたりすることができるように構成されている。器体４０の上面には、図３のように、複数個のスイッチＳ１〜Ｓ１２が配列されるとともに、表示手段１３となる液晶表示器２５および発光ダイオード２６１〜２６３が配置される。また、器体４０の一つの側部には端子台４１が設けられ、２個１組のねじ付の端子４２ａ，４２ｂが４組設けられる。端子４２ａは商用電源が接続され、端子４２ｂの各組はそれぞれ１回路ずつの負荷６に対応する。つまり、図示する器体４０は、最大で３回路までの負荷６に対応するソーラタイムスイッチを構成することができる。ただし、本実施形態では２回路の負荷６を制御する例を示している。つまり、３組の端子４２ｂのうち２個のみが使用されている。
　【００１９】
　ところで、発光ダイオード２６１は通電表示用であり商用電源から給電されている間に点灯する。また、発光ダイオード２６２，２６３は各負荷６への出力状態を示し、各回路の負荷６をオンにする出力を発生しているときに各回路に対応した発光ダイオード２６２，２６３がそれぞれ点灯する。スイッチＳ１はボールペンの先のような細い工具を用いて押操作される押釦スイッチよりなるリセットスイッチであって、何らかの異常が生じたときや設定内容をすべて消去するようなときに、リセットスイッチＳ１を押操作するとリセット回路３３が起動されて信号処理回路２０をリセットすることができる。発光ダイオード２６２，２６３に対応する位置に配置したスイッチＳ２，Ｓ３は３ポジションのスライドスイッチであって、中央位置ではタイムスケジュール記憶部３に設定したタイムスケジュールに従って負荷６を自動的に点灯・消灯させ、一端側の位置では負荷６を連続的に点灯させ、他端側の位置では負荷６を消灯させた状態に保つ。
　【００２０】
　他のスイッチＳ４〜Ｓ１２は押釦スイッチであって、動作モード選択手段としてのモードスイッチＳ４は信号処理回路２０の動作モードを選択する機能を有している。選択可能な動作モードには、時計手段１により計時されている現在時刻がタイムスケジュール記憶部３に格納されている時刻に一致すると負荷を制御する通常モードと、時計手段１の現在時刻の時刻合わせを行なうとともにカレンダ手段４からどの地区のデータを使用するかを選択する時計・地区モードと、タイムスケジュール記憶部３に各負荷６に対応する回路ごとのタイムスケジュールを設定する設定モードと、負荷６を平日とは異なるタイムスケジュールで制御させる休日設定モードとがある。設定モードでは２回路の負荷６にタイムスケジュールを設定するのであり、モードスイッチＳ４を押操作することにより負荷６を順次選択できるようになっている。つまり、モードスイッチＳ４の１回の押操作によってモードをサイクリックに選択することができるのであり、モードスイッチＳ４の押操作毎に通常モード→時計・地区モード→設定モード（第１の負荷）→設定モード（第２の負荷）→休日設定モード→通常モードという順に動作モードを選択することができる。スイッチＳ８〜Ｓ１１は動作モードに応じて異なる機能が割り当てられる。液晶表示器２５の上辺には図３のように３三角形状のマークＭ１〜Ｍ５が配置され、各マークＭ１〜Ｍ５は液晶表示器２５の周囲で器体４０に表記された文字（「通常」「時計・地区」「出力１」「出力２」「休日」）に対応付けられている。したがって、モードスイッチＳ４により動作モードを選択すると、その動作モードを示す文字に対応する位置のマークＭ１〜Ｍ５のみが表示状態になり、他のマークＭ１〜Ｍ５は非表示状態となって動作モードを示す。
　【００２１】
　通常モードでは図６に示すように、現在時刻、地区番号がそれぞれ現在時刻表示領域Ｄ１と地区番号表示領域Ｄ２とに表示される。また、負荷６の動作パターンが動作パターン表示領域Ｄ３に表示される。通常モードでは、モニタスイッチＳ５を押操作するとモニタ機能を動作させることができ、タイムスケジュールを液晶表示器２５の画面上で確認することが可能になる。モニタ機能が動作するときには、液晶表示器２５に「モニタ」の文字が表示される。また、モニタ機能を動作させると液晶表示器２５において負荷６の各回路を示す標識（〔出力〕〔１〕〔２〕）がブリンク表示（表示・非表示を短時間で繰り返す表示）になり、モードスイッチＳ４の押操作によって、一方の回路を選択することができるようになっている。負荷６の回路を選択した後にモニタスイッチＳ５を押操作すれば、現在の年月日が領域Ｄ１に表示され、以後はスイッチＳ４を受け付けなくなる。この状態において、他の年月日についてタイムスケジュールを確認したければスイッチＳ８〜Ｓ１０を押操作することで、年月日を変更することができる。年月日を指定した後は、モニタスイッチＳ５の押操作毎にタイムスケジュール記憶手段３からタイムスケジュールが読み出されて液晶表示器２５に表示され、タイムスケジュールを確認することができる。モニタ機能を解除するには取消スイッチＳ６を操作する。モニタモードでは、各種スイッチＳ８〜Ｓ１０が操作されるがタイムスケジュールには影響しない。
　【００２２】
　時計・地区モードではスイッチＳ８〜Ｓ１０により年月日、時分秒、地区の入力が可能になる。年月、時分は現在時刻表示領域Ｄ１に表示され、日、秒、地区（地区番号）は地区番号表示領域Ｄ２に表示される。また、年月日が表示されるときにはアポストロフィが表示されることにより識別でき、地区番号が表示されるときには「地区」の文字と括弧とが表示されることによって識別できるようになっている。
　【００２３】
　設定モードでは、選択した負荷６に対応する番号がブリンク表示される。ここで、設定スイッチＳ１２の押操作毎に動作パターンが選択される。つまり、設定スイッチＳ１２は動作パターン選択手段として機能する。動作パターンが選択されると、その動作パターンに応じて動作パターン表示領域Ｄ３に配置されている「日入」「定時」「定時」「日出」の各文字が動作パターンに応じて表示・非表示の状態になり、かつ表示されている文字はブリンク表示になる。しかして負荷６を選択した状態で、スイッチＳ１１を押操作することにより日入時刻、日出時刻に対して早め、遅めを指定することにより、液晶表示器２５には「早め」、「遅め」の表示がなされ、所望の時間を入力することによって日入時刻、日出時刻に所望時間を加減したカレンダ時刻を設定することができる。つまり、スイッチＳ８〜Ｓ１１はカレンダ時刻設定手段９として機能することになる。また、定時刻を含む動作パターンを設定すると、定時刻はスイッチＳ８〜Ｓ１１を用いることで入力が可能になる。つまり、日入時刻、日出時刻は所定時刻の加減を行なうことができ、定時刻は所望の時刻を直接入力することになる。各時刻は設定毎に設定スイッチＳ１２を押操作することで次の時刻を設定する状態に移行する。このように、スイッチＳ８〜Ｓ１１は定時刻設定手段１０としても機能する。
　【００２４】
　上述のようにして動作パターンに時刻の割当てを行なうことによってタイムスケジュールが作成されるのであり、タイムスケジュールが作成された状態では図７に示す表示状態になる。ここに、本実施形態ではタイムスケジュールを曜日に対応付けることができるが、要旨ではないから説明を省略する。スイッチＳ７はサマータイム設定用であって、サマータイム設定状態でないときにこのスイッチＳ７が押操作されると現在日時が１時間進められてサマータイム設定状態になる。つまり、スイッチＳ７はサマータイム選択手段として機能する。また、図８、図９のように液晶表示器２５には「＋１ｈ」の標識ＳＴが表示される（図８は設定モード、図９は通常モード）。サマータイム設定状態ではスイッチＳ７を押操作するとサマータイム設定状態が解除され、現在時刻が１時間遅れ「＋１ｈ」の標識ＳＴは非表示になる。
　【００２５】
　以下に本実施形態の動作を簡単に説明する。図１０は信号処理回路２０の全体の動作を示している。電源を投入するかリセットすると、まず初期化処理を行なう（Ｓ１）。このとき、機種判別を行ない以後の動作を判別された機種に対応したものにする。電源投入直後、リセット直後にはタイムスケジュールが設定されていないから、上述したようにスイッチＳ４〜Ｓ１２の操作によってタイムスケジュールが設定されるように入力待ちの状態になる（Ｓ２）。何らかの入力操作があれば液晶表示器２５に操作に対応した表示を行ない（Ｓ３）、このとき通常モードか否かを判定する（Ｓ４）。通常モードのときには停電の有無を判定し（停電検出回路３１の出力による）（Ｓ５）、停電時には信号処理回路２０の外部への出力信号を停止して時計手段１の計時のみを行なう（Ｓ６）。停電が解消されれば（Ｓ７）再び元の動作に復帰する（Ｓ８）。また、ステップＳ５で通電されていると判断されるとタイマ処理を行なう（Ｓ９）。タイマ処理では通常モードであってスイッチＳ４〜Ｓ１２が操作されていなければ、タイムスケジュールに従って負荷６を制御する。また、スイッチＳ４〜Ｓ１２による割り込みがあれば、スイッチＳ４〜Ｓ１２の操作に対応した上述のような処理を行なう。
　【００２６】
　ここで、図１１に示すように、サマータイムを指定するスイッチＳ７が押操作されたときには（Ｓ１１）、通常モードまたは時刻・地区モードであれば（Ｓ１２，Ｓ１３）、サマータイム処理を行なう（Ｓ１４，Ｓ１５）。サマータイム処理は、図１２に示すように、メモリ内のサマータイムエリアがすでにサマータイムに設定されているときには（Ｓ２１）、サマータイムエリアを通常時刻に戻し（Ｓ２２）、現在時刻を減算方向に修正しカレンダ時刻を通常の時刻に戻す処理を行なう（Ｓ２３）。一方、サマータイムの設定がなされていなければ、サマータイムエリアをサマータイムに設定し（Ｓ２４）、サマータイム修正手段１５およびカレンダ時刻修正手段１６によって現在時刻とカレンダ時刻とを加算方向に修正する（Ｓ２５）。
　【００２７】
　【発明の効果】
　請求項１の発明は、現在の日時を計時する時計手段と、
カレンダ時刻設定手段により設定されたカレンダ時刻と定時刻記憶手段に格納されている定時刻とを用いてタイムスケジュールを作成するタイムスケジュール生成手段と、タイムスケジュール生成手段により作成した、
　【００２８】
　請求項２の発明のように、常時は現在時刻を表示する現在時刻表示領域を備えた表示手段と、上記カレンダ時刻の表示手段への表示を指示する指示手段と、指示手段によりカレンダ時刻の表示を指示したときにサマータイム修正手段により現在時刻がサマータイムに修正されているときにはカレンダ時刻修正手段による修正後のカレンダ時刻を現在時刻表示領域に表示させ現在時刻がサマータイムではないときにはカレンダ設定手段により設定されたカレンダ時刻を現在時刻表示領域に表示させるサマータイム判別手段とを備えるものでは、現在時刻表示領域にカレンダ時刻を表示可能にしていることによって、表示面積の限られた表示手段を用いながらも２種類の情報を表示することができ、またサマータイムを用いているときにはカレンダ時刻も修正した時刻を表示し、サマータイムを用いていないときにはカレンダ時刻を修正せずに表示するから、サマータイム期間か否かにかかわらず、年間を通じてそのときの時刻の基準に従ったカレンダ時刻を表示することができるという利点がある。
【図面の簡単な説明】
　【図１】
　本発明の実施形態を示すブロック図である。
　【図２】
　同上の動作パターンを示す図である。
　【図３】
　同上の正面図である。
　【図４】
　同上のブロック図である。
　【図５】
　同上の外観斜視図である。
　【図６】
　同上の動作説明図である。
　【図７】
　同上の動作説明図である。
　【図８】
　同上の動作説明図である。
　【図９】
　同上の動作説明図である。
　【図１０】
　同上の動作説明図である。
　【図１１】
　同上の動作説明図である。
　【図１２】
　同上の動作説明図である。
　【符号の説明】
　１　　時計手段
　２　　比較手段
　３　　タイムスケジュール記憶手段
　４　　カレンダ手段
　５　　負荷制御手段
　６　　負荷
　７　　動作パターン記憶手段
　８　　動作パターン選択手段
　９　　カレンダ時刻設定手段
　１０　定時刻設定手段
　１１　定時刻記憶手段
　１２　タイムスケジュール生成手段
　１３　表示手段
　１４　表示処理手段
　１５　サマータイム修正手段
　１６　カレンダ時刻修正手段